(57)【要約】【課題】  送信信号の受信信号経路への漏洩による受信特性の劣化を改善する。【解決手段】  フロントエンドモジュールＭ１は、デュプレクサ１０、通過フィルタ４０、及び終端回路素子６１を備える。通過フィルタ４０は、電力増幅器３００の出力端子３０１とデュプレクサ１０の送信ノード１１とを接続する信号経路Ｌ１から分岐する分岐点Ｂ１とグランドＧＮＤとの間の信号経路Ｌ２に配置されている。通過フィルタ４０は電力増幅器２００から出力される送信信号の周波数成分のうちデュプレクサ１０の受信フィルタ１５の通過帯域の少なくとも一部に一致する周波数成分を通過させる周波数特性を有する。終端回路素子６１は、通過フィルタ４０とグランドＧＮＤとの間の信号経路Ｌ２に配置されている。終端回路素子６１は、通過フィルタ４０を通過する送信信号を減衰させる。【選択図】      図１
2018157248.tif 000002
【特許請求の範囲】
【請求項１】
送信ノード、受信ノード、及び共通ノードを有する第１のデュプレクサであって、前記送信ノード及び前記共通ノードを通過する第１の送信信号の周波数帯域を通過帯域とし、且つ前記共通ノード及び前記受信ノードを通過する第１の受信信号の周波数帯域を阻止域とする周波数特性を有する第１の送信フィルタと、前記第１の受信信号の周波数帯域を通過帯域とし、且つ前記第１の送信信号の周波数帯域を阻止域とする周波数特性を有する第１の受信フィルタとを備える、第１のデュプレクサと、
電力増幅器の出力端子と前記送信ノードとを接続する第１の信号経路から分岐する分岐点とグランドとの間の第２の信号経路に配置される第１の通過フィルタであって、前記電力増幅器から出力される第１の送信信号の周波数成分のうち前記第１の送信フィルタの阻止域を通過させる周波数特性を有する、第１の通過フィルタと、
前記第１の通過フィルタと前記グランドとの間の前記第２の信号経路に配置される終端回路素子であって、前記第１の通過フィルタを通過する前記第１の送信信号を減衰させる、終端回路素子と、
を備えるフロントエンドモジュール。
【請求項２】
請求項１に記載のフロントエンドモジュールであって、
前記第１の通過フィルタの通過域は、前記第１の受信フィルタの通過帯域の少なくとも一部に一致する周波数成分を通過させる周波数特性を有する、フロントエンドモジュール。
【請求項３】
送信ノード、受信ノード、及び共通ノードを有する第１のデュプレクサであって、前記送信ノード及び前記共通ノードを通過する第１の送信信号の周波数帯域を通過帯域とし、且つ前記共通ノード及び前記受信ノードを通過する第１の受信信号の周波数帯域を阻止域とする周波数特性を有する第１の送信フィルタと、前記第１の受信信号の周波数帯域を通過帯域とし、且つ前記第１の送信信号の周波数帯域を阻止域とする周波数特性を有する第１の受信フィルタとを備える、第１のデュプレクサと、
低雑音増幅器の入力端子と前記受信ノードとを接続する第３の信号経路から分岐する分岐点とグランドとの間の第４の信号経路に配置される第２の通過フィルタであって、電力増幅器から出力されて前記送信ノードに入力される第１の送信信号の周波数成分のうち前記第１の送信フィルタの通過帯域の少なくとも一部に一致し、且つ前記受信ノードから出力される周波数成分を通過させる周波数特性を有する、第２の通過フィルタと、
前記第２の通過フィルタと前記グランドとの間の前記第４の信号経路に配置される終端回路素子であって、前記第２の通過フィルタを通過する前記第１の送信信号を減衰させる、終端回路素子と、
を備えるフロントエンドモジュール。
【請求項４】
送信ノード、受信ノード、及び共通ノードを有する第１のデュプレクサであって、前記送信ノード及び前記共通ノードを通過する第１の送信信号の周波数帯域を通過帯域とし、且つ前記共通ノード及び前記受信ノードを通過する第１の受信信号の周波数帯域を阻止域とする周波数特性を有する第１の送信フィルタと、前記第１の受信信号の周波数帯域を通過帯域とし、且つ前記第１の送信信号の周波数帯域を阻止域とする周波数特性を有する第１の受信フィルタとを備える、第１のデュプレクサと、
電力増幅器の出力端子と前記送信ノードとを接続する第１の信号経路から分岐する第１の分岐点とグランドとの間の第２の信号経路に配置される第１の通過フィルタであって、前記電力増幅器から出力される第１の送信信号の周波数成分のうち前記第１の受信フィルタの通過帯域の少なくとも一部に一致する周波数成分を通過させる周波数特性を有する、第１の通過フィルタと、
前記第１の通過フィルタと前記グランドとの間の前記第２の信号経路に配置される第１の終端回路素子であって、前記第１の通過フィルタを通過する前記第１の送信信号を減衰させる、第１の終端回路素子と、
低雑音増幅器の入力端子と前記受信ノードとを接続する第３の信号経路から分岐する第２の分岐点と前記グランドとの間の第４の信号経路に配置される第２の通過フィルタであって、前記電力増幅器から出力されて前記送信ノードに入力される第１の送信信号の周波数成分のうち前記第１の送信フィルタの通過帯域の少なくとも一部に一致し、且つ前記受信ノードから出力される周波数成分を通過させる周波数特性を有する、第２の通過フィルタと、
前記第２の通過フィルタと前記グランドとの間の前記第４の信号経路に配置される第２の終端回路素子であって、前記第２の通過フィルタを通過する前記第１の送信信号を減衰させる、第２の終端回路素子と、
を備えるフロントエンドモジュール。
【請求項５】
送信ノード、受信ノード、及び共通ノードを有する第１のデュプレクサであって、前記送信ノード及び前記共通ノードを通過する第１の送信信号の周波数帯域を通過帯域とし、且つ前記共通ノード及び前記受信ノードを通過する第１の受信信号の周波数帯域を阻止域とする周波数特性を有する第１の送信フィルタと、前記第１の受信信号の周波数帯域を通過帯域とし、且つ前記第１の送信信号の周波数帯域を阻止域とする周波数特性を有する第１の受信フィルタとを備える、第１のデュプレクサと、
電力増幅器の出力端子と前記送信ノードとを接続する第１の信号経路から分岐する第１の分岐点とグランドとの間の第２の信号経路に配置される第１の通過フィルタであって、前記電力増幅器から出力される第１の送信信号の周波数成分のうち前記第１の受信フィルタの通過帯域の少なくとも一部に一致する周波数成分を通過させる周波数特性を有する、第１の通過フィルタと、
低雑音増幅器の入力端子と前記受信ノードとを接続する第３の信号経路から分岐する第２の分岐点と前記グランドとの間の第４の信号経路に配置される第２の通過フィルタであって、電力増幅器から出力されて前記送信ノードに入力される第１の送信信号の周波数成分のうち前記第１の送信フィルタの通過帯域の少なくとも一部に一致し、且つ前記受信ノードから出力される周波数成分を通過させる周波数特性を有する、第２の通過フィルタと、
前記第１の通過フィルタと前記グランドとの間の前記第２の信号経路に配置されるとともに、前記第２の通過フィルタと前記グランドとの間の前記第４の信号経路にも配置される終端回路素子であって、前記第１の通過フィルタを通過する前記第１の送信信号を減衰させるとともに、前記第２の通過フィルタを通過する前記第１の送信信号を減衰させる、終端回路素子と、
を備えるフロントエンドモジュール。
【請求項６】
請求項１，４，５のうち何れか１項に記載のフロントエンドモジュールであって、
前記第１の通過フィルタは、第２のデュプレクサの第２の送信フィルタであるか又は前記第２のデュプレクサの第２の受信フィルタであり、
前記第２の送信フィルタは、前記第１の送信信号とは周波数帯域の異なる第２の送信信号の周波数帯域を通過帯域とし、且つ前記第１の受信信号とは周波数帯域の異なる第２の受信信号の周波数帯域を阻止域とする周波数特性を有しており、
前記第２の受信フィルタは、前記第２の受信信号の周波数帯域を通過帯域とし、且つ前記第２の送信信号の周波数帯域を阻止域とする周波数特性を有している、フロントエンドモジュール。
【請求項７】
請求項３，４，５のうち何れか１項に記載のフロントエンドモジュールであって、
前記第２の通過フィルタは、第２のデュプレクサの第２の送信フィルタであるか又は前記第２のデュプレクサの第２の受信フィルタであり、
前記第２の送信フィルタは、前記第１の送信信号とは周波数帯域の異なる第２の送信信号の周波数帯域を通過帯域とし、且つ前記第１の受信信号とは周波数帯域の異なる第２の受信信号の周波数帯域を阻止域とする周波数特性を有しており、
前記第２の受信フィルタは、前記第２の受信信号の周波数帯域を通過帯域とし、且つ前記第２の送信信号の周波数帯域を阻止域とする周波数特性を有している、フロントエンドモジュール。
【請求項８】
請求項４に記載のフロントエンドモジュールであって、
前記第１の通過フィルタは、第２のデュプレクサの第２の送信フィルタであるか又は前記第２のデュプレクサの第２の受信フィルタであり、
前記第２の通過フィルタは、第３のデュプレクサの第３の送信フィルタであるか又は前記第３のデュプレクサの第３の受信フィルタであり、
前記第２の送信フィルタは、前記第１の送信信号とは周波数帯域の異なる第２の送信信号の周波数帯域を通過帯域とし、且つ前記第１の受信信号とは周波数帯域の異なる第２の受信信号の周波数帯域を阻止域とする周波数特性を有しており、
前記第２の受信フィルタは、前記第２の受信信号の周波数帯域を通過帯域とし、且つ前記第２の送信信号の周波数帯域を阻止域とする周波数特性を有しており、
前記第３の送信フィルタは、前記第１の送信信号及び前記第２の送信信号とは周波数帯域の異なる第３の送信信号の周波数帯域を通過帯域とし、且つ前記第１の受信信号及び前記第２の受信信号とは周波数帯域の異なる第３の受信信号の周波数帯域を阻止域とする周波数特性を有しており、
前記第３の受信フィルタは、前記第３の受信信号の周波数帯域を通過帯域とし、且つ前記第３の送信信号の周波数帯域を阻止域とする周波数特性を有している、フロントエンドモジュール。
【請求項９】
請求項４に記載のフロントエンドモジュールであって、
前記第１の通過フィルタは、第２のデュプレクサの第２の送信フィルタであり、
前記第２の通過フィルタは、前記第２のデュプレクサの第２の受信フィルタであり、
前記第２の送信フィルタは、前記第１の送信信号とは周波数帯域の異なる第２の送信信号の周波数帯域を通過帯域とし、且つ前記第１の受信信号とは周波数帯域の異なる第２の受信信号の周波数帯域を阻止域とする周波数特性を有しており、
前記第２の受信フィルタは、前記第２の受信信号の周波数帯域を通過帯域とし、且つ前記第２の送信信号の周波数帯域を阻止域とする周波数特性を有している、フロントエンドモジュール。
【請求項１０】
請求項４に記載のフロントエンドモジュールであって、
前記第１の通過フィルタは、第２のデュプレクサの第２の受信フィルタであり、
前記第２の通過フィルタは、前記第２のデュプレクサの第２の送信フィルタであり、
前記第２の送信フィルタは、前記第１の送信信号とは周波数帯域の異な第２の送信信号の周波数帯域を通過帯域とし、且つ前記第１の受信信号とは周波数帯域の異なる第２の受信信号の周波数帯域を阻止域とする周波数特性を有しており、
前記第２の受信フィルタは、前記第２の受信信号の周波数帯域を通過帯域とし、且つ前記第２の送信信号の周波数帯域を阻止域とする周波数特性を有している、フロントエンドモジュール。
【発明の詳細な説明】
【技術分野】
【０００１】
本発明はフロントエンドモジュールに関わる。
【背景技術】
【０００２】
携帯電話等の移動通信端末の中には、一つの共用アンテナを用いて信号を送受信するものが知られている。この種の移動通信端末は、送信信号と受信信号とを分離するデュプレクサを備えている。デュプレクサは、送信信号の周波数帯域を通過帯域とし、且つ受信信号の周波数帯域を阻止域とする周波数特性を有する送信フィルタと、送信信号の周波数帯域を阻止域とし、且つ受信信号の周波数帯域を通過帯域とする周波数特性を有する受信フィルタとを備えている。送信信号及び受信信号のそれぞれの不要波の減衰とアイソレーションとを確保することで、送信信号の受信信号経路への漏洩による受信特性の劣化を抑制できる。このようなデュプレクサについて言及した文献として、例えば、特許第５５９０１３４号が知られている。
【先行技術文献】
【特許文献】
【０００３】
【特許文献１】特許第５５９０１３４号
【発明の概要】
【発明が解決しようとする課題】
【０００４】
しかし、送信信号の周波数帯域と受信信号の周波数帯域とが近接している場合には、十分なアイソレーションを確保することが困難となり、送信信号の受信信号経路への漏洩による受信特性の劣化を招く虞がある。
【０００５】
そこで、本発明は、送信信号の受信信号経路への漏洩による受信特性の劣化を改善することを課題とする。
【課題を解決するための手段】
【０００６】
上述の課題を解決するため、本発明に関わるフロントエンドモジュールは、（i）送信ノード、受信ノード、及び共通ノードを有するデュプレクサであって、送信ノード及び共通ノードを通過する送信信号の周波数帯域を通過帯域とし、且つ共通ノード及び受信ノードを通過する受信信号の周波数帯域を阻止域とする周波数特性を有する送信フィルタと、受信信号の周波数帯域を通過帯域とし、且つ送信信号の周波数帯域を阻止域とする周波数特性を有する受信フィルタとを備える、デュプレクサと、（ii）電力増幅器の出力端子と送信ノードとを接続する第１の信号経路から分岐する分岐点とグランドとの間の第２の信号経路に配置される通過フィルタであって、電力増幅器から出力される第１の送信信号の周波数成分のうち送信フィルタの阻止域を通過させる周波数特性を有する、通過フィルタと、（iii）通過フィルタとグランドとの間の第２の信号経路に配置される終端回路素子であって、通過フィルタを通過する送信信号を減衰させる、終端回路素子とを備える。
【発明の効果】
【０００７】
本発明に関わるフロントエンドモジュールによれば、送信信号の受信信号経路への漏洩による受信特性の劣化を改善することができる。
【図面の簡単な説明】
【０００８】
【図１】本発明の実施形態１に係るフロントエンドモジュールの回路構成を示す説明図である。
【図２】本発明の実施形態２に係るフロントエンドモジュールの回路構成を示す説明図である。
【図３】本発明の実施形態３に係るフロントエンドモジュールの回路構成を示す説明図である。
【図４】本発明の実施形態４に係るフロントエンドモジュールの回路構成を示す説明図である。
【図５】本発明の実施例１に関わるフロントエンドモジュールの回路構成を示す説明図である。
【図６】本発明の実施例１に関わるデュプレクサにおける送信信号と受信信号との間のアイソレーション特性を示すシミュレーション結果である。
【図７】本発明の実施例２に関わるフロントエンドモジュールの回路構成を示す説明図である。
【図８】本発明の実施例３に関わるフロントエンドモジュールの回路構成を示す説明図である。
【図９】本発明の実施例４に関わるフロントエンドモジュールの回路構成を示す説明図である。
【図１０】本発明の実施例５に関わるフロントエンドモジュールの回路構成を示す説明図である。
【図１１】本発明の実施例６に関わるフロントエンドモジュールの回路構成を示す説明図である。
【図１２】本発明の実施例７に関わるフロントエンドモジュールの回路構成を示す説明図である。
【図１３】本発明の実施例８に関わるフロントエンドモジュールの回路構成を示す説明図である。
【発明を実施するための形態】
【０００９】
本発明に関わるフロントエンドモジュールは、マルチバンドに対応可能であり、周波数帯域が互いに異なる複数種類の送信信号及び周波数帯域が互いに異なる複数種類の受信信号のフィルタリングや信号経路の切り替え等を行う。例えば、３種類の送信信号を区別するときは、これらを、送信信号Ａ、送信信号Ｂ、及び送信信号Ｃと呼ぶ。３種類の送信信号を区別する必要がないときには、単に、送信信号と呼ぶ。同様に、例えば、３種類の受信信号を区別するときには、これらを、受信信号Ａ、受信信号Ｂ、及び受信信号Ｃと呼ぶ。３種類の受信信号を区別する必要がないときには、単に、受信信号と呼ぶ。ここで、二つの周波数帯域が互いに異なるとは、二つの周波数帯域の間に重複する帯域が存在しない場合のみならず、二つの周波数帯域の間に重複する帯域が存在するものの、完全には一致しない場合を含むものとする。送信信号及び受信信号は、所定の通信方式に従って変調されたＲＦ（Radio Frequency）信号である。
【００１０】
以下、図１から図４を参照しながら本発明の各実施形態について説明し、図５から図１３を参照しながら本発明の各実施例について説明する。ここで、各実施例は、対応する実施形態の下位概念に相当するものであり、マルチバンドに対応している。なお、同一符号は同一の回路素子を示すものとし、重複する説明は省略する。
【００１１】
図１は、本発明の実施形態１に係るフロントエンドモジュールＭ１の回路構成を示す説明図である。フロントエンドモジュールＭ１は、アンテナ４００を通じて基地局との間で送受信される送信信号Ａ及び受信信号Ａのフィルタリングと信号経路の切り替えなどを行う。フロントエンドモジュールＭ１は、デュプレクサ１０、通過フィルタ４０、終端回路素子６１、及びアンテナスイッチ７０を備える。
【００１２】
電力増幅器２００は、入力端子２０１及び出力端子２０２を備えており、ＲＦＩＣ（Radio Frequency Integrated Circuit）から入力端子２０１に入力される送信信号Ａを電力増幅し、これらを出力端子２０２から出力する。低雑音増幅器３００は、入力端子３０１及び出力端子３０２を備えており、入力端子３０１に入力される受信信号Ａを低雑音増幅し、これを出力端子３０２から出力する。
【００１３】
デュプレクサ１０は、送信信号Ａ及び受信信号Ａを分離する分波器であり、送信ノード１１、受信ノード１２、共通ノード１３、送信フィルタ１４、及び受信フィルタ１５を備える。送信ノード１１は、電力増幅器２００の出力端子２０２に接続している。電力増幅器２００の出力端子２０２とデュプレクサ１０の送信ノード１１との間を接続する信号経路を信号経路Ｌ１と呼ぶ。受信ノード１２は、低雑音増幅器３００の入力端子３０１に接続している。低雑音増幅器３００の入力端子３０１とデュプレクサ１０の受信ノード１２との間を接続する信号経路を信号経路Ｌ３と呼ぶ。共通ノード１３は、アンテナスイッチ７０を通じてアンテナ４００に接続している。送信フィルタ１４は、送信信号Ａの周波数帯域を通過帯域とし、且つ受信信号Ａの周波数帯域を阻止域とする周波数特性を有する。受信フィルタ１５は、受信信号Ａの周波数帯域を通過帯域とし、且つ送信信号Ａの周波数帯域を阻止域とする周波数特性を有する。
【００１４】
電力増幅器２００から信号経路Ｌ１を通じて送信ノード１１に入力される送信信号Ａは、送信フィルタ１４を通過して共通ノード１３から出力される。共通ノード１３から出力される送信信号Ａは、アンテナスイッチ７０を通過してアンテナ４００から送信される。一方、アンテナ４００から受信する受信信号Ａは、アンテナスイッチ７０を通過して共通ノード１３に入力される。共通ノード１３に入力される受信信号Ａは、受信フィルタ１５を通過して受信ノード１２から出力される。受信ノード１２から出力される受信信号Ａは、信号経路Ｌ３を通じて低雑音増幅器３００に入力される。
【００１５】
通過フィルタ４０は、信号経路Ｌ１から分岐する分岐点Ｂ１とグランドＧＮＤとの間の信号経路に配置されている。分岐点Ｂ１とグランドＧＮＤとの間の信号経路を信号経路Ｌ２と呼ぶ。通過フィルタ４０は、電力増幅器２００から出力される送信信号Ａの不要成分を通過させる周波数特性を有している。ここで、送信信号Ａの不要成分とは、例えば、送信信号Ａの周波数成分のうち受信フィルタ１５の通過帯域（Ｒｘ帯域）の少なくとも一部に一致する周波数成分を意味する。終端回路素子６１は、通過フィルタ４０とグランドＧＮＤとの間の信号経路Ｌ２に配置されており、通過フィルタ４０を通過する送信信号Ａの不要成分を減衰させる。ここで、終端回路素子は、抵抗素子でもよいし、又はインダクタ素子或いはキャパシタ素子のような回路素子でもよい。また、終端回路素子は、抵抗素子と並列にインダクタ素子或いはキャパシタ素子が接続されたものでもよい。
【００１６】
電力増幅器２００から出力される送信信号Ａの不要成分は、デュプレクサ１０に入力される前に、分岐点Ｂ１から信号経路Ｌ２を通じて通過フィルタ４０を通過し、終端回路素子６１により減衰される。これにより、送信信号Ａの不要成分がデュプレクサ１０に入力されしまうことを回避できるため、送信信号Ａの不要成分が信号経路Ｌ３に漏洩することによる受信特性の劣化を改善できる。
【００１７】
図２は、本発明の実施形態２に係るフロントエンドモジュールＭ２の回路構成を示す説明図である。フロントエンドモジュールＭ２は、デュプレクサ１０、通過フィルタ５０、終端回路素子６２、及びアンテナスイッチ７０を備える。フロントエンドモジュールＭ２は、通過フィルタ５０及び終端回路素子６２を備えている点において、フロントエンドモジュールＭ１とは異なる。以下、フロントエンドモジュールＭ１，Ｍ２の相違点を中心に説明し、両者の共通点についは説明を省略する。
【００１８】
低雑音増幅器３００の入力端子３０１とデュプレクサ１０の受信ノード１２とを接続する信号経路Ｌ３から分岐する分岐点Ｂ２とグランドＧＮＤとの間の信号経路を信号経路Ｌ４と呼ぶ。通過フィルタ５０は、信号経路Ｌ４に配置されている。通過フィルタ５０は、送信信号Ａの漏洩成分を通過させる周波数特性を有している。ここで、送信信号Ａの漏洩成分とは、電力増幅器２００から出力されて送信ノード１１に入力される送信信号Ａの周波数成分のうち送信フィルタ１４の通過帯域（Ｔｘ帯域）の少なくとも一部に一致し、且つ受信ノード１２から出力される周波数成分を意味する。終端回路素子６２は、通過フィルタ５０とグランドＧＮＤとの間の信号経路Ｌ４に配置されている。終端回路素子６２は、通過フィルタ５０を通過する送信信号Ａの漏洩成分を減衰させる。
【００１９】
デュプレクサ１０から出力される送信信号Ａの漏洩成分は、低雑音増幅器３００に入力される前に、分岐点Ｂ２から信号経路Ｌ４を通じて通過フィルタ５０を通過し、終端回路素子６２により減衰される。これにより、送信信号Ａの漏洩成分が、低雑音増幅器３００に入力されてしまうことを回避できるため、送信信号Ａの漏洩成分の信号経路Ｌ３への漏洩による受信特性の劣化を改善できる。
【００２０】
図３は、本発明の実施形態３に係るフロントエンドモジュールＭ３の回路構成を示す説明図である。フロントエンドモジュールＭ３は、デュプレクサ１０、通過フィルタ４０，５０、終端回路素子６１，６２、及びアンテナスイッチ７０を備える。フロントエンドモジュールＭ３は、フロントエンドモジュールＭ１，Ｍ２を組み合わせた構成を有しており、フロントエンドモジュールＭ１，Ｍ２のそれぞれの作用効果と同様の作用効果を奏することができる。
【００２１】
図４は、本発明の実施形態４に係るフロントエンドモジュールＭ４の回路構成を示す説明図である。フロントエンドモジュールＭ４は、デュプレクサ１０、通過フィルタ４０，５０、終端回路素子６３、及びアンテナスイッチ７０を備える。フロントエンドモジュールＭ４の終端回路素子６３は、フロントエンドモジュールＭ３の終端回路素子６１，６２の機能を兼ね備えている。以下、フロントエンドモジュールＭ３，Ｍ４の相違点を中心に説明し、両者の共通点についは説明を省略する。
【００２２】
終端回路素子６３は、通過フィルタ４０とグランドＧＮＤとの間の信号経路Ｌ２に配置されるとともに、通過フィルタ５０とグランドＧＮＤとの間の信号経路Ｌ４にも配置されている。即ち、終端回路素子６３の一端は、通過フィルタ４０，５０に分岐接続し、終端回路素子６３の他端は、グランドＧＮＤに接続している。終端回路素子６３は、通過フィルタ４０を通過する送信信号Ａの不要成分を減衰させるとともに、通過フィルタ５０を通過する送信信号Ａの漏洩成分を減衰させる。フロントエンドモジュールＭ４は、フロントエンドモジュールＭ３の作用効果と同様の作用効果を奏することができる。
【００２３】
図５は、本発明の実施例１に関わるフロントエンドモジュールＭ１１の回路構成を示す説明図である。フロントエンドモジュールＭ１１は、デュプレクサ１０，２０、終端回路素子６１、アンテナスイッチ７０、送信信号切り替えスイッチ８０、及び受信信号切り替えスイッチ９０を備える。フロントエンドモジュールＭ１１は、実施形態１のフロントエンドモジュールＭ１の実施例に相当するものであり、フロントエンドモジュールＭ１の構成素子を全て備えている。ここで、図５には、図１の通過フィルタ４０は図示されていないが、デュプレクサ２０の送信フィルタ２４が通過フィルタ４０として機能する点に留意されたい。以下、フロントエンドモジュールＭ１，Ｍ１１の相違点を中心に説明し、両者の共通点についは説明を省略する。
【００２４】
デュプレクサ２０は、送信信号Ｂ及び受信信号Ｂを分離する分波器であり、送信ノード２１、受信ノード２２、共通ノード２３、送信フィルタ２４、及び受信フィルタ２５を備える。送信フィルタ２４は、送信信号Ｂの周波数帯域を通過帯域とし、且つ受信信号Ｂの周波数帯域を阻止域とする周波数特性を有する。受信フィルタ２５は、受信信号Ｂの周波数帯域を通過帯域とし、且つ送信信号Ｂの周波数帯域を阻止域とする周波数特性を有する。
【００２５】
送信フィルタ２４は、送信信号Ａの周波数成分のうち受信フィルタ１５の通過帯域の少なくとも一部に一致する周波数成分を通過させる周波数特性を有する。即ち、送信フィルタ２４の通過帯域と、受信フィルタ１５の通過帯域は、一部重複している。
【００２６】
送信信号切り替えスイッチ８０は、ノード８１，８２，８３を備えており、これらのノード８１，８２，８３の間に信号経路を選択的に確立する。例えば、送信信号切り替えスイッチ８０は、電力増幅器２００からノード８１に入力される送信信号Ａをノード８２から出力する。ノード８２は、信号経路Ｌ１を通じてデュプレクサ１０の送信ノード１１に接続する。また、例えば、送信信号切り替えスイッチ８０は、電力増幅器２００からノード８１に入力される送信信号Ｂをノード８３から出力する。ノード８３は、デュプレクサ２０の送信ノード２１に接続する。
【００２７】
アンテナスイッチ７０は、ノード７１，７２，７３，７４を備えており、これらのノード７１，７２，７３，７４の間に信号経路を選択的に確立する。例えば、アンテナスイッチ７０は、共通ノード１３からノード７１に入力される送信信号Ａをノード７３から出力する。また、例えば、アンテナスイッチ７０は、共通ノード２３からノード７２に入力される送信信号Ｂをノード７３から出力する。ノード７３は、アンテナ４００に接続されており、ノード７３から出力される送信信号Ａ，Ｂは、アンテナ４００から送信される。
【００２８】
受信信号切り替えスイッチ９０は、ノード９１，９２，９３を備えており、これらのノード９１，９２，９３の間に信号経路を選択的に確立する。例えば、受信信号切り替えスイッチ９０は、信号経路Ｌ３を通じてノード１２からノード９１に入力される受信信号Ａをノード９３から出力する。また、例えば、受信信号切り替えスイッチ９０は、ノード２２からノード９２に入力される受信信号Ｂをノード９３から出力する。ノード９３は、低雑音増幅器３００に接続されており、ノード９３から出力される受信信号Ａ，Ｂは、低雑音増幅器３００に入力される。
【００２９】
デュプレクサ１０が送信信号Ａのフィルタリングに使用されているときは、デュプレクサ２０は、送信信号Ｂのフィルタリングに使用されていない。このため、デュプレクサ１０が送信信号Ａのフィルタリングに使用されているときに、送信信号Ａの不要成分がデュプレクサ１０に入力されないように、デュプレクサ２０（例えば、送信フィルタ２４）を用いて、送信信号Ａの不要成分を除去することができる。送信信号切り替えスイッチ８０は、ノード８１に入力される送信信号Ａをノード８２，８３から出力する。このとき、アンテナスイッチ７０は、ノード７２とノード７４との間に信号経路を確立する。ノード７４とグランドＧＮＤとの間には、終端回路素子６１が接続されている。これにより、送信信号切り替えスイッチ８０のノード８１からノード８３、送信フィルタ２４、アンテナスイッチ７０のノード７２、ノード７４、及び終端回路素子６１を通じてグランドＧＮＤに接続する信号経路が確立される。この信号経路は、図１の信号経路Ｌ２に相当するものであり、送信信号切り替えスイッチ８０は、図１の分岐点Ｂ１として機能する。
【００３０】
このように、送信信号Ｂのフィルタリングに使用されていないデュプレクサ２０を用いて、送信信号Ａの不要成分を除去することにより、送信信号Ａの不要成分の信号経路Ｌ３への漏洩による受信特性の劣化を改善できる。また、送信信号Ａの不要成分を除去する専用の通過フィルタを設ける必要がなく、既存のデュプレクサ２０を用いればよいため、低コストである。加えて、既存のデュプレクサ２０を使用することができるので、専用のフィルタを設ける必要がないため、小型化が可能となる。
【００３１】
なお、デュプレクサ１０として、例えば、バンド２６用のデュプレクサを使用し、デュプレクサ２０として、例えば、バンド８用のデュプレクサを使用することができる。バンド２６の受信帯域は、８５９から８９４ＭＨｚである。バンド８の送信帯域は、８８０から９１５ＭＨｚである。バンド２６の受信帯域とバンド８の送信帯域とは、一部重複しているため、バンド８用のデュプレクサの送信フィルタを用いて、バンド２６の送信帯域の不要成分を除去することができる。また、例えば、バンド２６用のデュプレクサの送信フィルタを用いて、バンド２０の送信帯域の不要成分を除去することができる。また、例えば、バンド２６用のデュプレクサの送信フィルタを用いて、バンド２７の送信帯域の不要成分を除去することができる。また、例えば、バンド２７用のデュプレクサの送信フィルタを用いて、バンド２０の送信帯域の不要成分を除去することができる。また、例えば、バンド２３、バンド３４、或いはバンド３６用のデュプレクサの送信フィルタを用いて、バンド２の送信帯域の不要成分を除去することができる。
【００３２】
図６は実施例１に関わるデュプレクサ１０における送信信号Ａと受信信号Ａとの間のアイソレーション特性を示すシミュレーション結果である。符号６０１は、デュプレクサ２０を用いて、送信信号Ａの不要成分を除去しないときのグラフを示す。符号６０２は、デュプレクサ２０を用いて、送信信号Ａの不要成分を除去したときのグラフを示す。これらの結果から、デュプレクサ２０を用いて、送信信号Ａの不要成分を除去することにより、アイソレーション特性が約８ｄＢ改善できた。
【００３３】
図７は、本発明の実施例２に関わるフロントエンドモジュールＭ１２の回路構成を示す説明図である。フロントエンドモジュールＭ１２は、デュプレクサ１０，２０、終端回路素子６１、アンテナスイッチ７０、送信信号切り替えスイッチ８０、受信信号切り替えスイッチ９０、及びスイッチ１００を備える。フロントエンドモジュールＭ１２は、実施形態１のフロントエンドモジュールＭ１の実施例に相当するものであり、フロントエンドモジュールＭ１の構成素子を全て備えている。ここで、図７には、図１の通過フィルタ４０は図示されていないが、デュプレクサ２０の受信フィルタ２５が通過フィルタ４０として機能する点に留意されたい。以下、フロントエンドモジュールＭ１１，Ｍ１２の相違点を中心に説明し、両者の共通点についは説明を省略する。
【００３４】
送信信号切り替えスイッチ８０は、ノード８１，８２，８３，８４を備えており、これらのノード８１，８２，８３，８４の間に信号経路を選択的に確立する。例えば、送信信号切り替えスイッチ８０は、電力増幅器２００からノード８１に入力される送信信号Ａをノード８２から出力する。ノード８２は、信号経路Ｌ１を通じてデュプレクサ１０の送信ノード１１に接続する。また、例えば、送信信号切り替えスイッチ８０は、電力増幅器２００からノード８１に入力される送信信号Ｂをノード８３から出力する。ノード８３は、デュプレクサ２０の送信ノード２１に接続する。
【００３５】
スイッチ１００は、ノード１０１，１０２，１０３を備えており、これらのノード１０１，１０２，１０３の間に信号経路を選択的に確立する。例えば、スイッチ１００は、受信ノード２２からノード１０１に入力される受信信号Ｂをノード１０２から出力する。ノード１０２は、ノード９２に接続している。
【００３６】
受信信号切り替えスイッチ９０は、ノード９１，９２，９３を備えており、これらのノード９１，９２，９３の間に信号経路を選択的に確立する。例えば、受信信号切り替えスイッチ９０は、信号経路Ｌ３を通じて受信ノード１２からノード９１に入力される受信信号Ａをノード９３から出力する。また、例えば、受信信号切り替えスイッチ９０は、受信ノード２２からスイッチ１００を通じてノード９２に入力される受信信号Ｂをノード９３から出力する。ノード９３は、低雑音増幅器３００に接続されており、ノード９３から出力される受信信号Ａ，Ｂは、低雑音増幅器３００に入力される。
【００３７】
デュプレクサ１０が送信信号Ａのフィルタリングに使用されているときは、デュプレクサ２０は、送信信号Ｂのフィルタリングに使用されていない。このため、デュプレクサ１０が送信信号Ａのフィルタリングに使用されているときに、送信信号Ａの不要成分がデュプレクサ１０に入力されないように、デュプレクサ２０（例えば、受信フィルタ２５）を用いて、送信信号Ａの不要成分を除去することができる。送信信号切り替えスイッチ８０は、ノード８１に入力される送信信号Ａをノード８２，８４から出力する。このとき、アンテナスイッチ７０は、ノード７２とノード７４との間に信号経路を確立する。また、このとき、スイッチ１００は、ノード１０３とノード１０１との間に信号経路を確立する。これにより、送信信号切り替えスイッチ８０のノード８１からノード８４、スイッチ１００、受信フィルタ２５、アンテナスイッチ７０のノード７２、ノード７４、及び終端回路素子６１を通じてグランドＧＮＤに接続する信号経路が確立される。この信号経路は、図１の信号経路Ｌ２に相当するものであり、送信信号切り替えスイッチ８０は、図１の分岐点Ｂ１として機能する。フロントエンドモジュールＭ１２は、フロントエンドモジュールＭ１１の作用効果と同様の作用効果を奏することができる。
【００３８】
なお、バンド４、バンド１０、或いはバンド２３用のデュプレクサの受信フィルタを用いて、バンド１の送信帯域の不要成分を除去できる。
【００３９】
図８は、本発明の実施例３に関わるフロントエンドモジュールＭ２１の回路構成を示す説明図である。フロントエンドモジュールＭ２１は、デュプレクサ１０，３０、終端回路素子６２、アンテナスイッチ７０、送信信号切り替えスイッチ８０、及び受信信号切り替えスイッチ９０を備える。フロントエンドモジュールＭ２１は、実施形態２のフロントエンドモジュールＭ２の実施例に相当するものであり、フロントエンドモジュールＭ２の構成素子を全て備えている。ここで、図８には、図２の通過フィルタ５０は図示されていないが、デュプレクサ３０の受信フィルタ３５が通過フィルタ５０として機能する点に留意されたい。以下、フロントエンドモジュールＭ２，Ｍ２１の相違点を中心に説明し、両者の共通点についは説明を省略する。
【００４０】
デュプレクサ３０は、送信信号Ｃ及び受信信号Ｃを分離する分波器であり、送信ノード３１、受信ノード３２、共通ノード３３、送信フィルタ３４、及び受信フィルタ３５を備える。送信フィルタ３４は、送信信号Ｃの周波数帯域を通過帯域とし、且つ受信信号Ｃの周波数帯域を阻止域とする周波数特性を有する。受信フィルタ３５は、受信信号Ｃの周波数帯域を通過帯域とし、且つ送信信号Ｃの周波数帯域を阻止域とする周波数特性を有する。
【００４１】
デュプレクサ１０が送信信号Ａのフィルタリングに使用されているときは、デュプレクサ３０は、送信信号Ｃのフィルタリングに使用されていない。このため、デュプレクサ１０が送信信号Ａのフィルタリングに使用されているときに、送信信号Ａの漏洩成分が低雑音増幅器３００に入力されないように、デュプレクサ３０（例えば、受信フィルタ３５）を用いて、送信信号Ａの漏洩成分を除去することができる。受信信号切り替えスイッチ９０は、ノード９１に入力される送信信号Ａの漏洩成分をノード９２から出力する。このとき、アンテナスイッチ７０は、ノード７２とノード７４との間に信号経路を確立する。ノード７４とグランドＧＮＤとの間には、終端回路素子６２が接続されている。これにより、受信信号切り替えスイッチ９０のノード９１からノード９２、受信フィルタ３５、アンテナスイッチ７０のノード７２、ノード７４、及び終端回路素子６２を通じてグランドＧＮＤに接続する信号経路が確立される。この信号経路は、図２の信号経路Ｌ４に相当するものであり、受信信号切り替えスイッチ９０は、図２の分岐点Ｂ２として機能する。
【００４２】
このように、送信信号Ｃのフィルタリングに使用されていないデュプレクサ３０を用いて、送信信号Ａの漏洩成分を除去することにより、送信信号Ａの漏洩成分が低雑音増幅器３００に入力されてしまうことを回避できる。また、送信信号Ａの漏洩成分を除去する専用の通過フィルタを設ける必要がなく、既存のデュプレクサ３０を用いればよいため、低コストである。加えて、既存のデュプレクサ３０を使用することができるので、専用のフィルタを設ける必要がないため、小型化が可能となる。
【００４３】
なお、バンド２、バンド３、或いはバンド２５用のデュプレクサの受信フィルタを用いて、バンド１の送信帯域の漏洩成分を除去できる。
【００４４】
図９は、本発明の実施例４に関わるフロントエンドモジュールＭ２２の回路構成を示す説明図である。フロントエンドモジュールＭ２２は、デュプレクサ１０，３０、終端回路素子６２、アンテナスイッチ７０、送信信号切り替えスイッチ８０、受信信号切り替えスイッチ９０、及びスイッチ１１０を備える。フロントエンドモジュールＭ２２は、実施形態２のフロントエンドモジュールＭ２の実施例に相当するものであり、フロントエンドモジュールＭ２の構成素子を全て備えている。ここで、図９には、図２の通過フィルタ５０は図示されていないが、デュプレクサ３０の送信フィルタ３４が通過フィルタ５０として機能する点に留意されたい。以下、フロントエンドモジュールＭ２１，Ｍ２２の相違点を中心に説明し、両者の共通点についは説明を省略する。
【００４５】
送信信号切り替えスイッチ８０は、ノード８１，８２，８３を備えており、これらのノード８１，８２，８３の間に信号経路を選択的に確立する。例えば、送信信号切り替えスイッチ８０は、電力増幅器２００からノード８１に入力される送信信号Ａをノード８２から出力する。ノード８２は、信号経路Ｌ１を通じてデュプレクサ１０の送信ノード１１に接続する。また、例えば、送信信号切り替えスイッチ８０は、電力増幅器２００からノード８１に入力される送信信号Ｂをノード８３から出力する。ノード８３は、スイッチ１１０を通じてデュプレクサ３０の送信ノード３１に接続する。
【００４６】
受信信号切り替えスイッチ９０は、ノード９１，９２，９３，９４を備えており、これらのノード９１，９２，９３，９４の間に信号経路を選択的に確立する。例えば、受信信号切り替えスイッチ９０は、信号経路Ｌ３を通じて受信ノード１２からノード９１に入力される受信信号Ａをノード９４から出力する。また、例えば、受信信号切り替えスイッチ９０は、受信ノード３２からノード９３に入力される受信信号Ｂをノード９４から出力する。ノード９４は、低雑音増幅器３００に接続されており、ノード９４から出力される受信信号Ａ，Ｂは、低雑音増幅器３００に入力される。
【００４７】
スイッチ１１０は、ノード１１１，１１２，１１３を備えており、これらのノード１１１，１１２，１１３の間に信号経路を選択的に確立する。例えば、スイッチ１１０は、ノード８３からノード１１１に入力される送信信号Ｃをノード１１３から出力する。ノード１１３は、送信ノード３１に接続している。
【００４８】
デュプレクサ１０が送信信号Ａのフィルタリングに使用されているときは、デュプレクサ３０は、送信信号Ｃのフィルタリングに使用されていない。このため、デュプレクサ１０が送信信号Ａのフィルタリングに使用されているときに、送信信号Ａの漏洩成分が低雑音増幅器３００に入力されないように、デュプレクサ３０（例えば、送信フィルタ３４）を用いて、送信信号Ａの漏洩成分を除去することができる。受信信号切り替えスイッチ９０は、ノード９１に入力される送信信号Ａの漏洩成分をノード９２から出力する。このとき、スイッチ１１０は、ノード１１２とノード１１３との間に信号経路を確立する。また、このとき、アンテナスイッチ７０は、ノード７２とノード７４との間に信号経路を確立する。ノード７４とグランドＧＮＤとの間には、終端回路素子６２が接続されている。これにより、受信信号切り替えスイッチ９０のノード９１からノード９２、スイッチ１１０、送信フィルタ３４、アンテナスイッチ７０のノード７２、ノード７４、及び終端回路素子６２を通じてグランドＧＮＤに接続する信号経路が確立される。この信号経路は、図２の信号経路Ｌ４に相当するものであり、受信信号切り替えスイッチ９０は、図２の分岐点Ｂ２として機能する。フロントエンドモジュールＭ２２は、フロントエンドモジュールＭ２１の作用効果と同様の作用効果を奏することができる。
【００４９】
なお、バンド２、バンド２３、或いはバンド２５用のデュプレクサの送信フィルタを用いて、バンド１の送信帯域の漏洩成分を除去できる。
【００５０】
図１０は、本発明の実施例５に関わるフロントエンドモジュールＭ３１の回路構成を示す説明図である。フロントエンドモジュールＭ３１は、デュプレクサ１０，２０，３０、終端回路素子６１，６２、アンテナスイッチ７０、送信信号切り替えスイッチ８０、及び受信信号切り替えスイッチ９０を備える。フロントエンドモジュールＭ３１は、実施形態３のフロントエンドモジュールＭ３の実施例に相当するものであり、フロントエンドモジュールＭ３の構成素子を全て備えている。ここで、図１０には、図３の通過フィルタ４０，５０は図示されていないが、デュプレクサ２０の送信フィルタ２４が通過フィルタ４０として機能し、且つ、デュプレクサ３０の受信フィルタ３５が通過フィルタ５０として機能する点に留意されたい。フロントエンドモジュールＭ３１は、フロントエンドモジュールＭ１１，Ｍ２１を組み合わせた構成を有している。
【００５１】
送信信号切り替えスイッチ８０は、ノード８１，８２，８３，８４を備えており、これらのノード８１，８２，８３，８４の間に信号経路を選択的に確立する。例えば、送信信号切り替えスイッチ８０は、電力増幅器２００からノード８１に入力される送信信号Ａをノード８２から出力する。ノード８２は、信号経路Ｌ１を通じてデュプレクサ１０の送信ノード１１に接続する。また、例えば、送信信号切り替えスイッチ８０は、電力増幅器２００からノード８１に入力される送信信号Ｂをノード８３から出力する。ノード８３は、デュプレクサ２０の送信ノード２１に接続する。また、例えば、送信信号切り替えスイッチ８０は、電力増幅器２００からノード８１に入力される送信信号Ｃをノード８４から出力する。ノード８４は、デュプレクサ３０の送信ノード３１に接続する。
【００５２】
アンテナスイッチ７０は、ノード７１，７２，７３，７４，７５，７６を備えており、これらのノード７１，７２，７３，７４，７５，７６の間に信号経路を選択的に確立する。例えば、アンテナスイッチ７０は、共通ノード１３からノード７１に入力される送信信号Ａをノード７４から出力する。また、例えば、アンテナスイッチ７０は、共通ノード２３からノード７２に入力される送信信号Ｂをノード７４から出力する。また、例えば、アンテナスイッチ７０は、共通ノード３３からノード７３に入力される送信信号Ｃをノード７４から出力する。ノード７４は、アンテナ４００に接続されており、ノード７４から出力される送信信号Ａ，Ｂ，Ｃは、アンテナ４００から送信される。
【００５３】
受信信号切り替えスイッチ９０は、ノード９１，９２，９３，９４を備えており、これらのノード９１，９２，９３，９４の間に信号経路を選択的に確立する。例えば、受信信号切り替えスイッチ９０は、信号経路Ｌ３を通じて受信ノード１２からノード９１に入力される受信信号Ａをノード９４から出力する。また、例えば、受信信号切り替えスイッチ９０は、受信ノード２２からノード９２に入力される受信信号Ｂをノード９４から出力する。また、例えば、受信信号切り替えスイッチ９０は、受信ノード３２からノード９３に入力される受信信号Ｃをノード９４から出力する。ノード９４は、低雑音増幅器３００に接続されており、ノード９４から出力される受信信号Ａ，Ｂ，Ｃは、低雑音増幅器３００に入力される。
【００５４】
デュプレクサ１０が送信信号Ａのフィルタリングに使用されているときは、デュプレクサ２０，３０は、それぞれ、送信信号Ｂ，Ｃのフィルタリングに使用されていない。このため、デュプレクサ１０が送信信号Ａのフィルタリングに使用されているときに、送信信号Ａの不要成分がデュプレクサ１０に入力されないように、デュプレクサ２０（例えば、送信フィルタ２４）を用いて、送信信号Ａの不要成分を除去することができる。同様に、デュプレクサ１０が送信信号Ａのフィルタリングに使用されているときに、送信信号Ａの漏洩成分が低雑音増幅器３００に入力されないように、デュプレクサ３０（例えば、受信フィルタ３５）を用いて、送信信号Ａの漏洩成分を除去することができる。
【００５５】
送信信号切り替えスイッチ８０は、ノード８１に入力される送信信号Ａをノード８２，８３から出力する。このとき、アンテナスイッチ７０は、ノード７２とノード７５との間に信号経路を確立する。ノード７５とグランドＧＮＤとの間には、終端回路素子６１が接続されている。これにより、送信信号切り替えスイッチ８０のノード８１からノード８３、送信フィルタ２４、アンテナスイッチ７０のノード７２、ノード７５、及び終端回路素子６１を通じてグランドＧＮＤに接続する信号経路が確立される。この信号経路は、図１の信号経路Ｌ２に相当するものであり、送信信号切り替えスイッチ８０は、図１の分岐点Ｂ１として機能する。
【００５６】
また、受信信号切り替えスイッチ９０は、ノード９１に入力される送信信号Ａの漏洩成分をノード９３から出力する。このとき、アンテナスイッチ７０は、ノード７３とノード７６との間に信号経路を確立する。ノード７６とグランドＧＮＤとの間には、終端回路素子６２が接続されている。これにより、受信信号切り替えスイッチ９０のノード９１からノード９３、受信フィルタ３５、アンテナスイッチ７０のノード７３、ノード７６、及び終端回路素子６２を通じてグランドＧＮＤに接続する信号経路が確立される。この信号経路は、図２の信号経路Ｌ４に相当するものであり、受信信号切り替えスイッチ９０は、図２の分岐点Ｂ２として機能する。フロントエンドモジュールＭ３１は、フロントエンドモジュールＭ１１，Ｍ２１のそれぞれの作用効果と同様の作用効果を奏することができる。なお、デュプレクサ２０の送信フィルタ２４が通過フィルタ４０として機能し、且つ、デュプレクサ３０の送信フィルタ３４が通過フィルタ５０として機能してもよい。
【００５７】
図１１は、本発明の実施例６に関わるフロントエンドモジュールＭ３２の回路構成を示す説明図である。フロントエンドモジュールＭ３２は、デュプレクサ１０，２０，３０、終端回路素子６１，６２、アンテナスイッチ７０、送信信号切り替えスイッチ８０、受信信号切り替えスイッチ９０、及びスイッチ１００，１１０を備える。フロントエンドモジュールＭ３２は、実施形態３のフロントエンドモジュールＭ３の実施例に相当するものであり、フロントエンドモジュールＭ３の構成素子を全て備えている。ここで、図１１には、図３の通過フィルタ４０，５０は図示されていないが、デュプレクサ２０の受信フィルタ２５が通過フィルタ４０として機能し、且つ、デュプレクサ３０の送信フィルタ３４が通過フィルタ５０として機能する点に留意されたい。フロントエンドモジュールＭ３２は、フロントエンドモジュールＭ１２，Ｍ２２を組み合わせた構成を有している。
【００５８】
送信信号切り替えスイッチ８０は、ノード８１，８２，８３，８４，８５を備えており、これらのノード８１，８２，８３，８４，８５の間に信号経路を選択的に確立する。例えば、送信信号切り替えスイッチ８０は、電力増幅器２００からノード８１に入力される送信信号Ａをノード８２から出力する。ノード８２は、信号経路Ｌ１を通じてデュプレクサ１０の送信ノード１１に接続する。また、例えば、送信信号切り替えスイッチ８０は、電力増幅器２００からノード８１に入力される送信信号Ｂをノード８３から出力する。ノード８３は、デュプレクサ２０の送信ノード２１に接続する。また、例えば、送信信号切り替えスイッチ８０は、電力増幅器２００からノード８１に入力される送信信号Ｃをノード８５から出力する。ノード８５は、スイッチ１００を通じてデュプレクサ３０の送信ノード３１に接続する。
【００５９】
受信信号切り替えスイッチ９０は、ノード９１，９２，９３，９４，９５を備えており、これらのノード９１，９２，９３，９４，９５の間に信号経路を選択的に確立する。例えば、受信信号切り替えスイッチ９０は、信号経路Ｌ３を通じて受信ノード１２からノード９１に入力される受信信号Ａをノード９５から出力する。また、例えば、受信信号切り替えスイッチ９０は、受信ノード２２からスイッチ１１０を通じてノード９２に入力される受信信号Ｂをノード９５から出力する。また、例えば、受信信号切り替えスイッチ９０は、受信ノード３２からノード９４に入力される受信信号Ｃをノード９５から出力する。ノード９５は、低雑音増幅器３００に接続されており、ノード９５から出力される受信信号Ａ，Ｂ，Ｃは、低雑音増幅器３００に入力される。
【００６０】
スイッチ１１０は、ノード１１１，１１２，１１３を備えており、これらのノード１１１，１１２，１１３の間に信号経路を選択的に確立する。例えば、スイッチ１１０は、受信ノード２２からノード１１３に入力される受信信号Ｂをノード１１１から出力する。ノード１１１は、ノード９２に接続している。
【００６１】
スイッチ１００は、ノード１０１，１０２，１０３を備えており、これらのノード１０１，１０２，１０３の間に信号経路を選択的に確立する。例えば、スイッチ１００は、ノード８５からノード１０１に入力される送信信号Ｃをノード１０３から出力する。ノード１０３は、送信ノード３１に接続している。
【００６２】
デュプレクサ１０が送信信号Ａのフィルタリングに使用されているときは、デュプレクサ２０，３０は、それぞれ、送信信号Ｂ，Ｃのフィルタリングに使用されていない。このため、デュプレクサ１０が送信信号Ａのフィルタリングに使用されているときに、送信信号Ａの不要成分がデュプレクサ１０に入力されないように、デュプレクサ２０（例えば、受信フィルタ２５）を用いて、送信信号Ａの不要成分を除去することができる。同様に、デュプレクサ１０が送信信号Ａのフィルタリングに使用されているときに、送信信号Ａの漏洩成分が低雑音増幅器３００に入力されないように、デュプレクサ３０（例えば、送信フィルタ３４）を用いて、送信信号Ａの漏洩成分を除去することができる。
【００６３】
送信信号切り替えスイッチ８０は、ノード８１に入力される送信信号Ａをノード８２，８４から出力する。このとき、スイッチ１１０は、ノード１１２とノード１１３との間に信号経路を確立する。また、このとき、アンテナスイッチ７０は、ノード７２とノード７５との間に信号経路を確立する。ノード７５とグランドＧＮＤとの間には、終端回路素子６１が接続されている。これにより、送信信号切り替えスイッチ８０のノード８１からノード８４、スイッチ１１０、受信フィルタ２５、アンテナスイッチ７０のノード７２、ノード７５、及び終端回路素子６１を通じてグランドＧＮＤに接続する信号経路が確立される。この信号経路は、図１の信号経路Ｌ２に相当するものであり、送信信号切り替えスイッチ８０は、図１の分岐点Ｂ１として機能する。
【００６４】
また、受信信号切り替えスイッチ９０は、ノード９１に入力される送信信号Ａの漏洩成分をノード９３から出力する。このとき、スイッチ１００は、ノード１０２とノード１０３との間に信号経路を確立する。また、このとき、アンテナスイッチ７０は、ノード７３とノード７６との間に信号経路を確立する。ノード７６とグランドＧＮＤとの間には、終端回路素子６２が接続されている。これにより、受信信号切り替えスイッチ９０のノード９１からノード９３、スイッチ１００、送信フィルタ３４、アンテナスイッチ７０のノード７３、ノード７６、及び終端回路素子６２を通じてグランドＧＮＤに接続する信号経路が確立される。この信号経路は、図２の信号経路Ｌ４に相当するものであり、受信信号切り替えスイッチ９０は、図２の分岐点Ｂ２として機能する。フロントエンドモジュールＭ３２は、フロントエンドモジュールＭ３１の作用効果と同様の作用効果を奏することができる。なお、デュプレクサ２０の受信フィルタ２５が通過フィルタ４０として機能し、且つ、デュプレクサ３０の受信フィルタ３５が通過フィルタ５０として機能してもよい。
【００６５】
図１２は、本発明の実施例７に関わるフロントエンドモジュールＭ４１の回路構成を示す説明図である。フロントエンドモジュールＭ４１は、デュプレクサ１０，２０、終端回路素子６３、アンテナスイッチ７０、送信信号切り替えスイッチ８０、及び受信信号切り替えスイッチ９０を備える。フロントエンドモジュールＭ４１は、実施形態４のフロントエンドモジュールＭ４の実施例に相当するものであり、フロントエンドモジュールＭ４の構成素子を全て備えている。ここで、図１２には、図４の通過フィルタ４０，５０は図示されていないが、デュプレクサ２０の送信フィルタ２４が通過フィルタ４０として機能し、且つ、デュプレクサ２０の受信フィルタ２５が通過フィルタ５０として機能する点に留意されたい。
【００６６】
デュプレクサ１０が送信信号Ａのフィルタリングに使用されているときは、デュプレクサ２０は、送信信号Ｂのフィルタリングに使用されていない。このため、デュプレクサ１０が送信信号Ａのフィルタリングに使用されているときに、送信信号Ａの不要成分がデュプレクサ１０に入力されないように、デュプレクサ２０（例えば、送信フィルタ２４）を用いて送信信号Ａの不要成分を除去することができる。同様に、デュプレクサ１０が送信信号Ａのフィルタリングに使用されているときに、送信信号Ａの漏洩成分が低雑音増幅器３００に入力されないように、デュプレクサ２０（例えば、受信フィルタ２５）を用いて、送信信号Ａの漏洩成分を除去することができる。
【００６７】
送信信号切り替えスイッチ８０は、ノード８１に入力される送信信号Ａをノード８２，８３から出力する。このとき、アンテナスイッチ７０は、ノード７２とノード７４との間に信号経路を確立する。ノード７４とグランドＧＮＤとの間には、終端回路素子６３が接続されている。これにより、送信信号切り替えスイッチ８０のノード８１からノード８３、送信フィルタ２４、アンテナスイッチ７０のノード７２、ノード７４、及び終端回路素子６３を通じてグランドＧＮＤに接続する信号経路が確立される。この信号経路は、図４の信号経路Ｌ２に相当するものであり、送信信号切り替えスイッチ８０は、図４の分岐点Ｂ１として機能する。
【００６８】
また、受信信号切り替えスイッチ９０は、ノード９１に入力される送信信号Ａの漏洩成分をノード９２から出力する。これにより、受信信号切り替えスイッチ９０のノード９１からノード９２、受信フィルタ２５、アンテナスイッチ７０のノード７２、ノード７４、及び終端回路素子６３を通じてグランドＧＮＤに接続する信号経路が確立される。この信号経路は、図４の信号経路Ｌ４に相当するものであり、受信信号切り替えスイッチ９０は、図４の分岐点Ｂ２として機能する。フロントエンドモジュールＭ４１は、フロントエンドモジュールＭ３１，Ｍ３２の作用効果と同様の作用効果を奏することができる。
【００６９】
図１３は、本発明の実施例８に関わるフロントエンドモジュールＭ４２の回路構成を示す説明図である。フロントエンドモジュールＭ４２は、デュプレクサ１０，２０、終端回路素子６３、アンテナスイッチ７０、送信信号切り替えスイッチ８０、受信信号切り替えスイッチ９０、及びスイッチ１００，１１０を備える。フロントエンドモジュールＭ４２は、実施形態４のフロントエンドモジュールＭ４の実施例に相当するものであり、フロントエンドモジュールＭ４の構成素子を全て備えている。ここで、図１３には、図４の通過フィルタ４０，５０は図示されていないが、デュプレクサ２０の受信フィルタ２５が通過フィルタ４０として機能し、且つ、デュプレクサ２０の送信フィルタ２４が通過フィルタ５０として機能する点に留意されたい。
【００７０】
送信信号切り替えスイッチ８０は、ノード８１，８２，８３，８４を備えており、これらのノード８１，８２，８３，８４の間に信号経路を選択的に確立する。例えば、送信信号切り替えスイッチ８０は、電力増幅器２００からノード８１に入力される送信信号Ａをノード８２から出力する。ノード８２は、信号経路Ｌ１を通じてデュプレクサ１０の送信ノード１１に接続する。また、例えば、送信信号切り替えスイッチ８０は、電力増幅器２００からノード８１に入力される送信信号Ｂをノード８３から出力する。ノード８３は、スイッチ１１０を通じてデュプレクサ２０の送信ノード２１に接続する。
【００７１】
受信信号切り替えスイッチ９０は、ノード９１，９２，９３，９４を備えており、これらのノード９１，９２，９３，９４の間に信号経路を選択的に確立する。例えば、受信信号切り替えスイッチ９０は、信号経路Ｌ３を通じて受信ノード１２からノード９１に入力される受信信号Ａをノード９４から出力する。また、例えば、受信信号切り替えスイッチ９０は、受信ノード２２からスイッチ１００を通じてノード９３に入力される受信信号Ｂをノード９４から出力する。ノード９４は、低雑音増幅器３００に接続されており、ノード９４から出力される受信信号Ａ，Ｂは、低雑音増幅器３００に入力される。
【００７２】
スイッチ１１０は、ノード１１１，１１２，１１３を備えており、これらのノード１１１，１１２，１１３の間に信号経路を選択的に確立する。例えば、スイッチ１１０は、ノード８３からノード１１１に入力される送信信号Ｂをノード１１３から出力する。ノード１１３は、送信ノード２１に接続している。
【００７３】
スイッチ１００は、ノード１０１，１０２，１０３を備えており、これらのノード１０１，１０２，１０３の間に信号経路を選択的に確立する。例えば、スイッチ１００は、受信ノード２２からノード１０３に入力される受信信号Ｃをノード１０１から出力する。ノード１０１は、ノード９３に接続している。
【００７４】
デュプレクサ１０が送信信号Ａのフィルタリングに使用されているときは、デュプレクサ２０は、送信信号Ｂのフィルタリングに使用されていない。このため、デュプレクサ１０が送信信号Ａのフィルタリングに使用されているときに、送信信号Ａの不要成分がデュプレクサ１０に入力されないように、デュプレクサ２０（例えば、受信フィルタ２５）を用いて送信信号Ａの不要成分を除去することができる。同様に、デュプレクサ１０が送信信号Ａのフィルタリングに使用されているときに、送信信号Ａの漏洩成分が低雑音増幅器３００に入力されないように、デュプレクサ２０（例えば、送信フィルタ２４）を用いて、送信信号Ａの漏洩成分を除去することができる。
【００７５】
送信信号切り替えスイッチ８０は、ノード８１に入力される送信信号Ａをノード８２，８４から出力する。このとき、スイッチ１００は、ノード１０２とノード１０３との間に信号経路を確立する。また、アンテナスイッチ７０は、ノード７２とノード７４との間に信号経路を確立する。ノード７４とグランドＧＮＤとの間には、終端回路素子６３が接続されている。これにより、送信信号切り替えスイッチ８０のノード８１からノード８４、スイッチ１００、受信フィルタ２５、アンテナスイッチ７０のノード７２、ノード７４、及び終端回路素子６３を通じてグランドＧＮＤに接続する信号経路が確立される。この信号経路は、図４の信号経路Ｌ２に相当するものであり、送信信号切り替えスイッチ８０は、図４の分岐点Ｂ１として機能する。
【００７６】
また、受信信号切り替えスイッチ９０は、ノード９１に入力される送信信号Ａの漏洩成分をノード９２から出力する。このとき、スイッチ１１０は、ノード１１２とノード１１３との間に信号経路を確立する。これにより、受信信号切り替えスイッチ９０のノード９１からノード９２、スイッチ１１０、送信フィルタ２４、アンテナスイッチ７０のノード７２、ノード７４、及び終端回路素子６３を通じてグランドＧＮＤに接続する信号経路が確立される。この信号経路は、図４の信号経路Ｌ４に相当するものであり、受信信号切り替えスイッチ９０は、図４の分岐点Ｂ２として機能する。フロントエンドモジュールＭ４２は、フロントエンドモジュールＭ４１の作用効果と同様の作用効果を奏することができる。
【００７７】
なお、本明細書において、デュプレクサ１０，２０，３０を区別する場合、デュプレクサ１０を第１のデュプレクサと呼び、デュプレクサ２０を第２のデュプレクサと呼び、デュプレクサ３０を第３のデュプレクサと呼ぶことがある。また、送信フィルタ１４，２４，３４を区別する場合、送信フィルタ１４を第１の送信フィルタと呼び、送信フィルタ２４を第２の送信フィルタと呼び、送信フィルタ３４を第３の送信フィルタと呼ぶことがある。また、受信フィルタ１５，２５，３５を区別する場合、受信フィルタ１５を第１の受信フィルタと呼び、受信フィルタ２５を第２の受信フィルタと呼び、受信フィルタ３５を第３の受信フィルタと呼ぶことがある。また、送信信号Ａ，Ｂ，Ｃを区別する場合、送信信号Ａを第１の送信信号と呼び、送信信号Ｂを第２の送信信号と呼び、送信信号Ｃを第３の送信信号と呼ぶことがある。また、受信信号Ａ，Ｂ，Ｃを区別する場合、受信信号Ａを第１の受信信号と呼び、受信信号Ｂを第２の受信信号と呼び、受信信号Ｃを第３の受信信号と呼ぶことがある。また、通過フィルタ４０、５０を区別する場合、通過フィルタ４０を第１の通過フィルタと呼び、通過フィルタ５０を第２の通過フィルタと呼ぶことがある。また、終端回路素子６１，６２を区別する場合、終端回路素子６１を第１の終端回路素子と呼び、終端回路素子６２を第２の終端回路素子と呼ぶことがある。また、信号経路Ｌ１，Ｌ２，Ｌ３，Ｌ４を区別する場合、信号経路Ｌ１を第１の信号経路と呼び、信号経路Ｌ２を第２の信号経路と呼び、信号経路Ｌ３を第３の信号経路と呼び、信号経路Ｌ４を第４の信号経路と呼ぶことがある。
【００７８】
以上説明した実施形態は、本発明の理解を容易にするためのものであり、本発明を限定して解釈するためのものではない。本発明は、その趣旨を逸脱することなく、変更又は改良され得るととともに、本発明にはその等価物も含まれる。即ち、実施形態に当業者が適宜設計変更を加えたものも、本発明の特徴を備えている限り、本発明の範囲に包含される。実施形態が備える各回路素子及びその配置などは、例示したものに限定されるわけではなく適宜変更することができる。例えば、回路素子Ａが回路素子Ｂに接続するとは、回路素子Ａが回路素子Ｂに直接接続している場合のみならず、回路素子Ａと回路素子Ｂとの間に回路素子Ｃ（例えば、スイッチ素子）を経由して信号経路が選択的に確立され得る場合も含まれるものとする。また、実施形態が備える各回路素子は、技術的に可能な限りにおいて組み合わせることができ、これらを組み合わせたものも本発明の特徴を含む限り本発明の範囲に包含される。上述の実施例では、送信信号切り替えスイッチ８０又は受信信号切り替えスイッチ９０、及び必要に応じてスイッチ１００，１１０を用いて、信号経路Ｌ２，Ｌ４を確立する各種スイッチの構成例を例示したが、このような各種スイッチの構成例は適宜変更してもよい。
【符号の説明】
【００７９】
１０，２０，３０…デュプレクサ  ４０，５０…通過フィルタ  ６１，６２，６３…終端回路素子  ７０…アンテナスイッチ  ８０…送信信号切り替えスイッチ  ９０…受信信号切り替えスイッチ  １００，１１０…スイッチ  ２００…電力増幅器  ３００…低雑音増幅器  Ｍ１，Ｍ２，Ｍ３，Ｍ４，Ｍ１１，Ｍ１２，Ｍ２１，Ｍ２２，Ｍ３１，Ｍ３２，Ｍ４１，Ｍ４２…フロントエンドモジュール
【図１】
2018157248.tif 000003
【図２】
2018157248.tif 000004
【図３】
2018157248.tif 000005
【図４】
2018157248.tif 000006
【図５】
2018157248.tif 000007
【図６】
2018157248.tif 000008
【図７】
2018157248.tif 000009
【図８】
2018157248.tif 000010
【図９】
2018157248.tif 000011
【図１０】
2018157248.tif 000012
【図１１】
2018157248.tif 000013
【図１２】
2018157248.tif 000014
【図１３】
2018157248.tif 000015